(57)【要約】【課題】  ゴルファーが、プレー結果、ゴルフの技量、使用したクラブについて、詳細に確認、検討、及び診断が行えると共に、コンピュータ等に入力して、種々の統計データ等を取得するためのデータを提供でき、且つ、記入が容易で、見易く、データ入力のし易いゴルフスコアカードを提供する。【解決手段】  ゴルフスコアカード本体２に、ゴルフ場名３が記載された第１の欄４と、該ゴルフ場の各ホールごと及び合計のヤード５、及び、ゴルフ場の各ホールごと及び合計のパー６が記載された表形式の第２の欄７と、各ホールごと及び合計のスコア８、及びパット９を記入する表形式の第３の欄１０と、各ホールごとのティショットの飛距離１１、グリーンオン時カップまでの距離１２、ＯＢ回数１３、ペナルティの回数１４、バンカーインの回数１５、及び、フェアウェイキープした場合のチェック１６のうち、１又は２以上を記入する表形式の第４の欄１７とを印刷して設けたゴルフスコアカードを提供する。【選択図】  図１
0003110430.tif 000002
【実用新案登録請求の範囲】
【請求項１】
ゴルフスコアカード本体に、ゴルフ場名が記載された第１の欄と、該ゴルフ場の各ホールごと及び合計のヤード、及び、該ゴルフ場の各ホールごと及び合計のパーが記載された表形式の第２の欄と、各ホールごと及び合計のスコア、及びパットを記入する表形式の第３の欄と、各ホールごとのティショットの飛距離、グリーンオン時カップまでの距離、ＯＢ回数、ペナルティの回数、バンカーインの回数、及び、フェアウェイキープした場合のチェックのうち、１又は２以上を記入する表形式の第４の欄とを印刷して設けたことを特徴とするゴルフスコアカード。
【請求項２】
ゴルフスコアカード本体に、ゴルフ場の各ホールごとに使用したクラブ及び番手を記入する第５の欄を印刷して設けたことを特徴とする請求項１記載のゴルフスコアカード。
【請求項３】
ゴルフスコアカード本体に、使用ティの種類、グリーンの種類、ラウンド日、スタート時間、プレー時間、天気の種類、気温、風の強さの種類、ルールの種類、プレースタイルの種類、ゴルファーの体調の種類、午前スタートのコースの種類、午後スタートのコースの種類、スタート前の飲酒の程度の種類、及び、昼食時の飲酒の程度の種類のうち、１又は２以上を記入又は選択する第６の欄を印刷して設けたことを特徴とする請求項１又は２記載のゴルフスコアカード。
【請求項４】
ゴルフスコアカード本体に、記入方法及び記入単位の説明を記載した第７の欄を印刷して設けたことを特徴とする請求項１，２又は３記載のゴルフスコアカード。
【請求項５】
ゴルフスコアカード本体に、記入例を記載した第８の欄を印刷して設けたことを特徴とする請求項１，２，３又は４記載のゴルフスコアカード。
【請求項６】
上記ゴルフスコアカード本体を横長として用い、上記第１の欄を該ゴルフスコアカード本体の左上端部に設け、上記第２の欄、第３の欄及び第４の欄を上から順に連続的に配列してゴルフスコアカード本体の下半部に設け、上記第６の欄をゴルフスコアカード本体の左側部の上記第１の欄と第２の欄の間に設け、上記第７の欄をゴルフスコアカード本体の右上半部に設け、上記第８の欄を第６の欄と、第７の欄との中間に設けたことを特徴とする請求項５記載のゴルフスコアカード。
【請求項７】
上記第５の欄の各ホールごとの記入欄を上記第４の欄の各ホールごとの記入欄の右側に夫々併設し、第５の欄の記入欄の上行から下行に向かって使用したクラブ及び番手を順番に記入するように構成したことを特徴とする請求項２，３，４，５又は６記載のゴルフスコアカード。
【考案の詳細な説明】
【技術分野】
【０００１】
本考案は、ゴルフスコアカードに関し、特に、ゴルファーがプレー結果、ゴルフの技量、使用したクラブについて、詳細に確認、検討、及び診断が行えると共に、コンピュータ等に入力して、種々の統計データ等を取得するためのデータを提供でき、且つ、記入が容易で、見易く、データ入力のし易いゴルフスコアカードに関するものである。
【背景技術】
【０００２】
此種従来のゴルフスコアカードは一般にスコアの他にいくつかの記入欄が設けてあり、その記入記録によってゴルフのプレー結果を確認することができると共に、検討して、ゴルフのプレー結果をある程度診断することができる。
【０００３】
然しながら、従来のゴルフスコアカードは、記入欄がスコア中心に構成され、その他の記入欄が限られているため、ゴルファーが後でプレー結果を検討したり、自己のゴルフの技量について診断したりする場合に於いて、必要とする種々の情報が不足する。
【０００４】
例えば、従来のゴルフスコアカードに記入したデータからはゴルフの技量について大まかな診断しかできないため、具体的なゴルファーのゴルフの欠点や長所を知ることができないという不満がある。
【０００５】
又、クラブの選択の正否や、クラブとプレーヤーとの相性等が診断できないという問題がある。
【０００６】
そして、此種ゴルフスコアカードの先行文献として、例えば、特許文献１及び２があり、特許文献１には、１８ホールについて、各ホール毎に、距離、パー数、４人分のスコア記入欄及びハンディキャップが見やすく、且つ、記入しやすいように表示されたスコアカードが記載されている。
【０００７】
又、特許文献２には、カード本体に、各ホールごとのヤード、パー、スコア及びパットの数をそれぞれ記入する欄と、同じく各ホールごとにフェアウェイをキープしたか否か及びパーオンしたか否かをマークする欄と、同じく各ホールごと且つ各ショットごとの使用クラブとそのショット結果を一緒に記入する欄とを含む表を設けるとともに、天候及び風の状態とグリーン及びティーの種類を選択枝から選んでマークする欄と、上記のショット結果を１文字で表示するための文字対照表とを設け、更に、フェアウェイキープ、パーオン、バーディ及びパーの夫々の合計数を記入する欄を設けたゴルフスコアカードが記載されている。
【特許文献１】実開平７−５７６２号公報
【特許文献２】実登３０７７５６６号
【考案の開示】
【考案が解決しようとする課題】
【０００８】
前述したように、一般に用いられるゴルフスコアカードは、記入欄がスコア中心に構成され、その他の記入欄が限られているため、ゴルファーが後で検討したり、自己のゴルフの技量について診断したりする場合に於いて、ゴルファーが必要とする種々の情報が不足する。
【０００９】
又、特許文献１記載のスコアカードは、４人分のスコアが記入できるが、ゴルファーが後でプレー結果について検討したり、自己のゴルフの技量について診断したりする場合に於いて、ゴルファーが必要とする種々の情報が不足する。
【００１０】
そして、特許文献２記載のゴルフスコアカードには、カード本体に、各ホールごとのヤード、パー、スコア及びパットの数をそれぞれ記入する欄の他に、フェアウェイをキープ及びパーオンをマークする欄と、使用クラブとそのショット結果を記入する欄と、天候及び風の状態とグリーン及びティーの種類をマークする欄と、合計数を記入する欄を設けたゴルフスコアカードが記載されており、ゴルファーが必要とする種々の情報を記入できる。
【００１１】
然しながら、ゴルファーのプレイ結果を詳細に検討し、診断すると共に、特に、ゴルフクラブの検討、診断を行うためには、更に、例えば、ティショットの飛距離、グリーンオン時カップまでの距離、ＯＢ回数、ペナルティの回数、バンカーインの回数等の詳細なデータが必要である。
【００１２】
又、データをコンピュータに入力して種々の分析を行う場合においても、前述した詳細なデータが望まれる。但し、ゴルファーのゴルフスコアカードへの記入の負担の限度もあることから、ゴルファーの負担にならない程度の適正な記入を行うことが望まれる。更に、記入しやすく、見易いゴルフスコアカードが望まれる。
【００１３】
以上の現状に鑑み、本考案は、ゴルファーが、プレー結果、ゴルフの技量、使用したクラブについて、詳細に確認、検討、及び診断が行えると共に、コンピュータ等に入力して、種々の統計データ等を取得するためのデータを提供でき、且つ、記入が容易で、見易く、データ入力のし易いゴルフスコアカードを提供することを目的とする。
【課題を解決するための手段】
【００１４】
上記の課題を解決すべく、本考案は以下の構成を提供する。
請求項１に係る考案は、ゴルフスコアカード本体に、ゴルフ場名が記載された第１の欄と、該ゴルフ場の各ホールごと及び合計のヤード、及び、該ゴルフ場の各ホールごと及び合計のパーが記載された表形式の第２の欄と、各ホールごと及び合計のスコア、及びパットを記入する表形式の第３の欄と、各ホールごとのティショットの飛距離、グリーンオン時カップまでの距離、ＯＢ回数、ペナルティの回数、バンカーインの回数、及び、フェアウェイキープした場合のチェックのうち、１又は２以上を記入する表形式の第４の欄とを印刷して設けたことを特徴とするゴルフスコアカードを提供するものである。
【００１５】
請求項２に係る考案は、ゴルフスコアカード本体に、ゴルフ場の各ホールごとに使用したクラブ及び番手を記入する第５の欄を印刷して設けたことを特徴とする請求項１記載のゴルフスコアカードを提供するものである。
【００１６】
請求項３に係る考案は、ゴルフスコアカード本体に、使用ティの種類、グリーンの種類、ラウンド日、スタート時間、プレー時間、天気の種類、気温、風の強さの種類、ルールの種類、プレースタイルの種類、ゴルファーの体調の種類、午前スタートのコースの種類、午後スタートのコースの種類、スタート前の飲酒の程度の種類、及び、昼食時の飲酒の程度の種類のうち、１又は２以上を記入又は選択する第６の欄を印刷して設けたことを特徴とする請求項１又は２記載のゴルフスコアカードを提供するものである。
【００１７】
請求項４に係る考案は、ゴルフスコアカード本体に、記入方法及び記入単位の説明を記載した第７の欄を印刷して設けたことを特徴とする請求項１，２又は３記載のゴルフスコアカードを提供するものである。
【００１８】
請求項５に係る考案は、ゴルフスコアカード本体に、記入例を記載した第８の欄を印刷して設けたことを特徴とする請求項１，２，３又は４記載のゴルフスコアカードを提供するものである。
【００１９】
請求項６に係る考案は、上記ゴルフスコアカード本体を横長として用い、上記第１の欄を該ゴルフスコアカード本体の左上端部に設け、上記第２の欄、第３の欄及び第４の欄を上から順に連続的に配列してゴルフスコアカード本体の下半部に設け、上記第６の欄をゴルフスコアカード本体の左側部の上記第１の欄と第２の欄の間に設け、上記第７の欄をゴルフスコアカード本体の右上半部に設け、上記第８の欄を第６の欄６４と、第７の欄３５との中間に設けたことを特徴とする請求項５記載のゴルフスコアカードを提供するものである。
【００２０】
請求項７に係る考案は、上記第５の欄の各ホールごとの記入欄を上記第４の欄の各ホールごとの記入欄の右側に夫々併設し、第５の欄の記入欄の上行から下行に向かって使用したクラブ及び番手を順番に記入するように構成したことを特徴とする請求項２，３，４，５又は６記載のゴルフスコアカードを提供するものである。
【考案の効果】
【００２１】
請求項１記載の考案によれば、ゴルフスコアカード本体に、ゴルフ場名が記載された第１の欄と、該ゴルフ場の各ホールごと及び合計のヤード、及び、該ゴルフ場の各ホールごと及び合計のパーが記載された表形式の第２の欄と、各ホールごと及び合計のスコア、及びパットを記入する表形式の第３の欄と、各ホールごとのティショットの飛距離、グリーンオン時カップまでの距離、ＯＢ回数、ペナルティの回数、バンカーインの回数、及び、フェアウェイキープした場合のチェックのうち、１又は２以上を記入する表形式の第４の欄を印刷して設けたゴルフスコアカードを提供するので、ティショットの飛距離、グリーンオン時カップまでの距離、ＯＢ回数、ペナルティの回数、バンカーインの回数等の詳細なデータも記入されることにより、ゴルファーがプレー結果について検討したり、自己のゴルフの技量について診断したりするための重要且つ詳細な情報を提供でき、且つ、コンピュータ等に入力して、種々の統計データ等を取得するために必要なデータを提供できると共に、記入する欄が表形式になっていることから記入が容易で、見易いという利点がある。
【００２２】
請求項２記載の考案によれば、請求項２に係る考案は、ゴルフスコアカード本体に、ゴルフ場の各ホールごとに使用したクラブ及び番手を記入する第５の欄とを印刷して設けたので、請求項１記載の考案の効果に加え、ゴルフクラブの検討及び診断を行えるようにしたゴルフスコアカードを提供できる。
【００２３】
請求項３記載の考案によれば、ゴルフスコアカード本体に、使用ティの種類、グリーンの種類、ラウンド日、スタート時間、プレー時間、天気の種類、気温、風の強さの種類、ルールの種類、プレースタイルの種類、ゴルファーの体調の種類、午前スタートのコースの種類、午後スタートのコースの種類、スタート前の飲酒の程度の種類、及び、昼食時の飲酒の程度の種類のうち、１又は２以上を記入又は選択する第６の欄を印刷して設けたので、請求項１又は２記載の考案の効果に加え、コンピュータ等に入力して、種々の統計データ等を取得する場合に、ゴルフ場の条件、天気、ゴルファーの体調等の条件に基づく統計データ等を取得するために必要なデータを提供できる。
【００２４】
請求項４記載の考案によれば、ゴルフスコアカード本体に、記入方法及び記入単位の説明を記載した第７の欄を印刷して設けたので、請求項１，２又は３記載の考案の効果に加え、記入方法が理解し易く、記入し易いゴルフスコアカードを提供できる。
【００２５】
請求項５記載の考案によれば、ゴルフスコアカード本体に、記入例を記載した第８の欄を印刷して設けたので、請求項１，２，３又は４記載の考案の効果に加え、記入が容易で、記入ミスの少ないゴルフスコアカードを提供できる。
【００２６】
請求項６記載の考案によれば、上記ゴルフスコアカード本体を横長として用い、上記第１の欄を該ゴルフスコアカード本体の左上端部に設け、上記第２の欄、第３の欄及び第４の欄を上から順に連続的に配列してゴルフスコアカード本体の下半部に設け、上記第６の欄をゴルフスコアカード本体の左側部の上記第１の欄と第２の欄の間に設け、上記第７の欄をゴルフスコアカード本体の右上半部に設け、上記第８の欄を第６の欄６４と、第７の欄３５との中間に設けたので、請求項５記載の考案の効果に加え、表形式の欄が下半部にまとめて配置されると共に、記入方法及び記入単位の説明が右上半部に配置され、記入例が上半部の略中間部に配置されるので、記入し易く、見易く、外観が良好なゴルフスコアカードを提供できる。
【００２７】
請求項７記載の考案によれば、上記第５の欄の各ホールごとの記入欄を上記第４の欄の各ホールごとの記入欄の右側に夫々併設し、第５の欄の記入欄の上行から下行に向かって使用したクラブ及び番手を順番に記入するように構成したので、請求項２，３，４，５又は６記載の考案の効果に加え、使用したクラブ及び番手を各ホールごとに上から順番に記入するので、記入し易いと共に、記入したものが見易く、且つ、外観良好なゴルフスコアカードを提供できる。
【考案を実施するための最良の形態】
【００２８】
以下、実施例を示した図面を参照しつつ本考案の実施の形態を説明する。
図１において、１は本考案によるゴルフスコアカードを示し、ゴルフスコアカード１は、図示しないコンピュータ内に蓄積されたゴルフ場等のデータに基づき、コンピュータの制御により図示しないプリンタによって印刷された用紙であり、用紙から成るゴルフスコアカード本体２に、ゴルフ場名３が記載された第１の欄４と、ゴルフ場３の各ホールごと及び合計のヤード５、及び、ゴルフ場の各ホールごと及び合計のパー６が記載された表形式の第２の欄７と、各ホールごと及び合計のスコア８、及びパット９を記入する表形式の第３の欄１０と、各ホールごとのティショットの飛距離１１、グリーンオン時カップまでの距離１２、ＯＢ回数１３、ペナルティの回数１４、バンカーインの回数１５、及び、フェアウェイキープした場合のチェック１６のうち、１又は２以上、好適には全てを記入する表形式の第４の欄１７とが印刷されて設けられている。尚、同図の場合、第４の欄１７は全ての項目を記入する例を示している。
【００２９】
又、前記ゴルフスコアカード１は、ゴルフスコアカード本体２にゴルフ場の各ホールごとに使用したクラブ及び番手を記入する第５の欄１８が印刷されて設けられている。
【００３０】
更に、前記ゴルフスコアカード１は、ゴルフスコアカード本体２に、レギュラーティー、レディースティー等の使用ティの種類１９、ベント芝、高麗芝等のグリーンの芝の種類２０、ラウンド日２１、スタート時間２２、プレー時間２３、天気の種類２４、気温２５、風の強さの種類２６、ノータッチ或いは６インチリプレース等のルールの種類２７、乗用、電動、手引き、セルフ、キャデイ付き等のプレースタイルの種類２８、良好、普通、不良等のゴルファーの体調の種類２９、アウト、イン等の午前スタートのコースの種類３０、午後スタートのコースの種類３１、しらふ、ほろ酔い、酔っ払い等のスタート前の飲酒の程度の種類３２、及び、昼食時の飲酒の程度の種類３３のうち、１又は２以上、好適には全てを記入又は選択する第６の欄３４が印刷されて設けられている。尚、同図の場合、第６の欄３４は前述の項目を全て記入する例を示している。
【００３１】
更に又、前記ゴルフスコアカード１は、ゴルフスコアカード本体２に、記入方法及び記入単位の説明を記載した第７の欄３５、及び、記入例を記載した第８の欄３６が印刷されて設けられている。
【００３２】
そして、前記ゴルフスコアカード１は、例えば横長のＡ４の用紙であるゴルフスコアカード本体２に、第１の欄４を左上端部に設け、ゴルフスコアカード本体２の下半部に第２の欄７、第３の欄１０及び第４の欄１７を上から順に連続的に配列し、第６の欄３４をゴルフスコアカード本体２の左側部の第１の欄４と第２の欄７の間に設け、第７の欄３５をゴルフスコアカード本体２の右上半部に設け、第８の欄３６を第６の欄３４と、第７の欄３５との中間に設けている。
【００３３】
又、前記ゴルフスコアカード１は、第５の欄１８の各ホールごとの記入欄１８ａ，１８ａ…を第４の欄１７の各ホールごとの記入欄１７ａ，１７ａ…の右側に夫々併設し、第５の欄１８の記入欄１８ａの上行から下行に向かって、使用したクラブ及び番手を、例えば、記入例に示した「１ｗ」、「３ｉ」、「９ｉ」、「ＳＷ」等の如く、使用した順番に記入するように構成されている。
【００３４】
前記ゴルフスコアカード１に記入がなされると、ゴルフスコアカード１は、ゴルファーのプレー結果の詳細な記録となり、そのプレーに対する検討、診断等も可能であると共に、ゴルフスコアカード１に記入されたデータは例えば図示しないゴルファーが所持するコンピュータに入力されるためのデータとなる。
【００３５】
図２はそのコンピュータに主として前記第６の欄３４に記入されたデータを入力するための第１の入力画面３７例を示し、この第１の入力画面３７は例えば、ゴルファーが所持するコンピュータ上でアプリケーションが作動されることによって表示されるＷｅｂページ、又は、他のコンピュータから受信したＷｅｂページによって表示される。
【００３６】
入力画面３７は、文字を記入する記入欄３８，３８、メニューの中から選択するプルダウンメニュー欄３９，３９…、選択肢の中から１つを選ぶラジオボタン欄４０，４０…を備え、ゴルフスコアカード１に記入されたデータの入力が容易と成るように作成されている。そして、前記ゴルフスコアカード１に記入されたデータを入力画面３７の対応する該当箇所に入力するが、入力画面３７と前記ゴルフスコアカード１の項目のレイアウトは入力しやすいように対応させて配列されている。
【００３７】
図３はコンピュータに主として前記第３の欄１０と、第４の欄１７に記載されたデータを入力するための第２の入力画面４１例を示し、この第２の入力画面４１は、前記第１の入力画面３７と同様に、例えば、ゴルファーが所持するコンピュータ上でアプリケーションが作動されることによって表示されるＷｅｂページ、又は、他のコンピュータから受信したＷｅｂページによって表示される。
【００３８】
入力画面４１は、数字を記入する記入欄４２，４２…、「はい」「いいえ」の意思表示をチェックによって入力するチェックボックス欄４３，４３…、選択肢の中から１つを選ぶラジオボタン欄４４，４４を備え、ゴルフスコアカード１に記入されたデータの入力が容易と成るように作成されている。そして、前記ゴルフスコアカード１に記入されたデータを入力画面４１の対応する該当箇所に入力するが、入力画面４１と前記ゴルフスコアカード１の項目のレイアウトは入力しやすいように対応させて配列されている。
【００３９】
図４はコンピュータに主として前記第５の欄１８に記載されたデータを入力するための第３の入力画面４５例を示し、この第２の入力画面４５は、前記第１の入力画面３７と同様に、例えば、ゴルファーが所持するコンピュータ上でアプリケーションが作動されることによって表示されるＷｅｂページ、又は、他のコンピュータから受信したＷｅｂページによって表示される。
【００４０】
入力画面４５は、メニューの中から選択するプルダウンメニュー欄４６，４６…を備えている。そして、前記ゴルフスコアカード１に記入されたデータを入力画面４５の対応する該当箇所に入力するが、入力画面４５と前記ゴルフスコアカード１の項目のレイアウトは入力しやすいように対応させて配列されている。
【００４１】
前記入力画面３７，４１，４５への入力がなされると、入力されたデータはコンピュータ内に蓄積されて処理され、或いは、このコンピュータにネットワーク等で接続された他のコンピュータに伝送されてそのコンピュータ内に蓄積されて処理される。
【００４２】
処理の内容としては、各データの集計データに基づく平均データの出力、過去データを合わせた平均データの出力、他者との比較データの出力、或いは、前記第６の欄３４に記載された任意のデータを条件として、条件付の平均データ等を出力すること等が考えられる。
【００４３】
そして、その処理結果は、ゴルファーが所持するコンピュータに表示され、或いは、他のコンピュータから受信されてゴルファーが所持するコンピュータに表示され、その表示内容によって、ゴルファーはプレー結果について検討したり、自己のゴルフの技量について診断したり、ゴルフクラブの検討及び診断を行うことができる。
【００４４】
斯くして、前記ゴルフスコアカード１は、特に、従来例にも記入されない、例えば、ティショットの飛距離１１、グリーンオン時カップまでの距離１２、ＯＢ回数１３、ペナルティの回数１４、バンカーインの回数１５等も含めて詳細なデータが記入されることにより、ゴルファーがプレー結果について検討したり、自己のゴルフの技量、及び、クラブについて診断したりするための重要且つ詳細な情報を提供でき、且つ、コンピュータ等に入力して、種々の統計データ等を取得するために必要なデータを提供できると共に、記入する欄が表形式になっていることから記入が容易で、見易いという利点がある。尚、前述のデータのうち、特に、ティショットの飛距離１１及びＯＢ回数１３等は、自己のゴルフの技量、及び、クラブについて診断する場合に於いて、極めて重要である。
【００４５】
又、前記ゴルフスコアカード１は、ゴルフスコアカード本体２に、ゴルフ場の各ホールごとに使用したクラブ及び番手を記入する第５の欄１８が印刷されて設けられているので、プレー結果と共に、ゴルフクラブの検討及び診断が行える。
【００４６】
更に、前記ゴルフスコアカード１は、ゴルフスコアカード本体２に、使用ティの種類、グリーンの種類、ラウンド日、スタート時間、プレー時間、天気の種類、気温、風の強さの種類、ルールの種類、プレースタイルの種類、ゴルファーの体調の種類、午前スタートのコースの種類、午後スタートのコースの種類、スタート前の飲酒の程度の種類、及び、昼食時の飲酒の程度の種類のうち、１又は２以上、好適には全てを記入又は選択する第６の欄３４が印刷されて設けられているので、ゴルファーは、ゴルフ場、ゴルファーのその時の状態を考慮にいれてプレー結果について検討したり、自己のゴルフの技量について診断できると共に、コンピュータ等に入力して、種々の統計データ等を取得する場合に、ゴルフ場の条件、天気、ゴルファーの体調等の種々の条件に基づく統計データ等を取得するために必要なデータを提供できる。
【００４７】
更に又、ゴルフスコアカード１の項目のレイアウトは、コンピュータの入力画面３７，４１，４５と対応させて配列されており、コンピュータに入力し易いレイアウトとなっているため、コンピュータへの入力も容易である。
【００４８】
そして、前記ゴルフスコアカード１は、ゴルフスコアカード本体２に、記入方法及び記入単位の説明を記載した第７の欄が印刷されて設けられているので、記入方法が理解し易く、記入し易いゴルフスコアカードを提供できる。
【００４９】
又、前記ゴルフスコアカード１は、ゴルフスコアカード本体２に、記入例を記載した第８の欄３６が印刷されて設けられているので、記入方法が判り易く、記入が容易で、記入ミスの少ないゴルフスコアカードを提供できる。
【００５０】
更に、前記ゴルフスコアカード１は、ゴルフスコアカード本体２を横長として用い、前記第１の欄４をゴルフスコアカード本体２の左上端部に設け、第２の欄７、第３の欄１０及び第４の欄１７を上から順に連続的に配列してゴルフスコアカード本体２の下半部に設け、第６の欄３４をゴルフスコアカード本体２の左側部の第１の欄４と第２の欄７の間の左上半部に設け、第７の欄３５をゴルフスコアカード本体２の右上半部に設け、第８の欄３６を、第６の欄３４と、第７の欄３５との中間に設けたので、表形式の欄が下半部にまとめて配置されると共に、その他の記入欄が左上半部に配置され、記入方法及び記入単位の説明が右上半部に配置され、記入例が上半部の略中間部に配置されることにより、記入し易く、見易く、外観が良好なゴルフスコアカードを提供できる。
【００５１】
更に又、前記ゴルフスコアカード１は、第５の欄１８の各ホールごとの記入欄１８ａ，１８ａ…を第４の欄１７の各ホールごとの記入欄１７ａ，１７ａ…の右側に夫々併設し、第５の欄１８の記入欄１８ａ，１８ａ…の上行から下行に向かって使用したクラブ及び番手を順番に記入するように構成したので、使用したクラブ及び番手を各ホールごとに上から順番に記入できることにより、記入し易いと共に、記入したものが見易いゴルフスコアカードを提供できる。又、ゴルフスコアカード１は、第５の欄１８についてもコンピュータの入力画面と対応させており、コンピュータに入力し易いレイアウトとなっているため、コンピュータへの入力も容易である。
【図面の簡単な説明】
【００５２】
【図１】本考案によるゴルフスコアカードの説明図である。
【図２】コンピュータの第１の入力画面の説明図である。
【図３】コンピュータの第２の入力画面の説明図である。
【図４】コンピュータの第３の入力画面の説明図である。
【符号の説明】
【００５３】
１  ゴルフスコアカード
２  ゴルフスコアカード本体
３  ゴルフ場名
４  第１の欄
５  ヤード
６  パー
７  第２の欄
８  スコア
９  パット
１０  第３の欄
１１  ティショットの飛距離
１２  グリーンオン時カップまでの距離
１３  ＯＢ回数
１４  ペナルティの回数
１５  バンカーインの回数
１６  フェアウェイキープした場合のチェック
１７  第４の欄
１７    記入欄
１８  第５の欄
１８  ａ記入欄
１９  使用ティの種類
２０  グリーンの種類
２１  ラウンド日
２２  スタート時刻
２３  プレー時間
２４  天気の種類
２５  気温
２６  風の強さの種類
２７  ルールの種類
２８  プレースタイルの種類
２９  ゴルファーの体調の種類
３０  午前スタートのコースの種類
３１  午後スタートのコースの種類
３２  スタート前の飲酒の程度の種類
３３  昼食時の飲酒の程度の種類
３４  第６の欄
３５  第７の欄
３６  第８の欄
【図１】
0003110430.tif 000003
【図２】
0003110430.tif 000004
【図３】
0003110430.tif 000005
【図４】
0003110430.tif 000006